(57)【要約】      （修正有）【課題】二つの金属製の部品を用い、この二つの部品を繋ぎ、それぞれの特徴を生かして、木材と金属を共働できる金属製の取り付け用具を提供する。【解決手段】三角形の辺となる板状の木材３と、三角形の辺となるボルト状の金属棒４を組み合わせて一組にした辺となるものを、木造住宅の長方形、正方形の木枠（木組）の中に取り付ける金属製の用具で、一組にした辺となるものが外力がかかった時押し戻し力と、引き戻し力の両方の力を発揮できるよう、また三個以上の三角形を形成するように木枠の中に取り付ける用具で、三角形の辺となるものに取り付ける部品と、木枠を構成する柱などに取り付ける部品の二つの部品から成り、二つの部品を鋲またはボルトで繋ぐ。【選択図】図５
0003205956.tif 000002
【実用新案登録請求の範囲】
【請求項１】
木材で作った、三角形の辺となるものと、金属で作った、三角形の辺となるものを組み合わせて一組にした辺となるものを、木造住宅の長方形、正方形の木枠（木組）の中に取り付ける金属製の用具で、一組にした辺となるものが外力がかかった時押し戻し力と、引き戻し力の両方の力を発揮できるよう、また三個以上の三角形を形成するように木枠の中に取り付ける用具で、三角形の辺となるものに取り付ける部品と、木枠を構成する柱などに取り付ける部品の二つの部品から成り、二つの部品を鋲またはボルトで繋ぐ金属製の用具。
【請求項２】
三角形の辺となるものに取り付ける部品で、辺となるものに取り付ける部分と、木枠を構成する柱などに取り付ける部品に繋ぐための部分とを持ち、辺となるものに取り付ける部分をコの字状の金属枠としその両外面に円筒状のものを一つずつ付け、外力がかかった時押し戻しの働きをする柱状、分厚い板状の木材を枠にはめ込みボルトで固定し、引き戻しの働きをする長いボルト状の金属棒を円筒状のものに差し込みナットで固定し、木枠を構成する柱などに取り付ける部品に繋ぐための部分は鋲で繋ぐ場合は一枚の金属板、ボルトで繋ぐ場合は一枚の金属板に一個または複数のボルト穴を付けたものとすることを特徴とする請求項１に記載の三角形の辺となるものに取り付ける部品。
【請求項３】
木枠を構成する柱などに取り付ける部品で、柱などに取り付ける部分と三角形の辺となるものに取り付ける部品に繋ぐ部分とを持ち、柱などに取り付ける部分が柱などの内面の形状に合わせた平板で柱などの内面に釘、木ねじまたはボルトで固定するための穴を付けたものとなっているかまたは金属の枠で柱などを包み込むようにして取り付ける枠状になっておりさらに釘、木ねじ、またはボルトでも固定するため枠に穴を付けたものになっているかのいずれかで、三角形の辺となるものに取り付ける部品に繋ぐ部分は鋲で繋ぐ場合は一枚の金属板とし、ボルトで繋ぐ場合は二枚の金属板で取り付ける辺となるものの数、方向に応じて一つの辺となるもの当たり一個または複数のボルト用のボルト穴を付けたものとすることを特徴とする請求項１に記載の木枠を構成する柱などに取り付ける部品。
【考案の詳細な説明】
【技術分野】
【０００１】考案は、鉄塔、鉄橋の外力に抵抗して形状を維持する仕組みに習い、三角形という形状の組み合わせ、一つの辺が押し戻し力と引き戻し力の両方を発揮という絶対に必要な二つの条件を、木造住宅の長方形、正方形の木枠（木組）の中で満たすため、押し戻し力を発揮する木材と引き戻し力を発揮する金属を組み合わせ一辺として、その辺をそれぞれの力を発揮するように、また三個以上の三角形を形成するように木造住宅の木枠（木組）の中に取り付ける金属製の取り付け用具に関する考案であり、木材の欠点を補い、木材を活用して、木造住宅の外力による変形を少なくするために用いる金属製の用具に関する考案である。
【背景技術】
【０００２】三角形は最も変形しにくい形状であり、そのため鉄塔や鉄橋は外観が三角形の集合体のようになっている。三角形の辺を形成するものは例えば鉄パイプ、山形鋼のように高剛性を発揮する形状になっており、また鉄という素材の特性および設計の工夫から、辺を形成するものは押し戻し力、引き戻し力のどちらの力も発揮でき、外力がかかると辺に大きい力（押し戻し力と引き戻し力）が生じる。素材の特性などから発生した大きい力に、辺となるもの、力の集中する交点（角）になるもの共に耐えることができ、大きい外力がかかっても形状を維持できるようになっている。鉄橋に見られるように上下の振動にも強い構造になっている。
【考案の概要】
【考案が解決しようとする課題】
【０００３】木材は繊維の方向が一方向ということもあり、押し戻す力は出せても引き戻し力は出せない。辺となるものに木材を選び木材を木材に釘、木ねじで取り付けると引っ張られたとき抜け、ボルトで取り付けるとボルト穴が広がり最後にはボルト穴が破壊する。このようなことを起こさず、辺となるものを、押し戻し力と引き戻し力の両方の力を出せるようにすることが大きい課題である。木枠の中に複数の三角形を形成するには木枠の一点に複数の辺になるものを集中して取り付けることが必要になる。一点に複数の辺を取り付ける方法を考えることも一つの課題である。三角形に変形させようとする外力ががかると辺と辺の交点（角）に大きい力が生じる。その力から木枠を守る対策も必要である。辺となるもの全てを金属だけで作ると非常に重くなる。軽い木材を活用して出来るだけ軽く金属で作った辺となるものと同じ働きをするものを作ることが大きい課題である。
【課題を解決するための手段】
【０００４】三角形の辺となるものに取り付ける部品と、木枠を構成する柱などに取り付ける部品の二つの金属製の部品を用い、二つの部品を鋲またはボルトで繋ぐ。三角形の辺となるものに取り付ける部品は、三角形の辺となるものに取り付ける部分と木枠を構成する柱などへ取り付ける部品に繋ぐ部分とを持つものとし、辺となるものの取り付け部分の形状をコの字状の金属枠にしその両外面に円筒状のものを一つずつ付け、コの字状の金属枠に木材をはめ込みボルトで固定し、円筒状のものに長いボルト状の棒状金属を通してナットで固定する。この組み合わせのものは、木材が押し戻し力を受け持ち、棒状金属が引き戻し力を受け持ち一つの辺で両方の働きができる。木枠を形成する柱などへ取り付ける部品に繋ぐための部分は鋲で繋ぐ場合は一枚の金属板とし、ボルトで繋ぐ場合は一枚の金属板に一個または複数のボルト穴を付けたものとする。木枠を構成する柱などに取り付ける部品は、柱などに取り付ける部分と、三角形の辺となるものに取り付ける部品に繋ぐ部分を持ち、柱などに取り付ける部分を柱などの形状に合わせた平板とし、柱などの内面に釘、木ねじ、またはボルトで固定する穴を付けたものか、または柱などを金属枠で包み込むようにして枠をボルトで締め、さらに釘、木ねじまたはボルトで固定するために枠に穴をつけたものかのいずれかで、金属枠による柱などへの取り付けは辺となるものの取り付けが一つで引き戻し力だけが発生することがある場合に特に必要である。三角形の辺となるものに取り付ける部品と繋ぐための部分は鋲で繋ぐ場合は一枚の金属板、ボルトで繋ぐ場合は二枚の金属板とし取り付ける辺となるものの数、方向に応じて一つの辺となるもの当たり一個または複数のボルト用のボルト穴を付け、三角形の辺となるものに取り付ける部品の一枚の金属板をこの二枚の金属板の間に挟んでボルトで固定する。一本のボルトで繋ぐ場合は外力で大きい回転力がかかった時、回転して外力を緩和し繋ぎ場所の損傷を防ぐ。複数のボルトで繋ぐ場合は回転を許さぬ一層変形を許さぬ繋ぎになる。鋲で繋ぐ場合も回転させない繋ぎになる。この繋ぎの部分を金属板とすることで集中する力に耐え木枠に損傷を与えぬようにする。金属板には多数の辺となるものに取り付ける部品を繋ぐことができる。辺となるもの全てを金属だけで作ると高剛性を出せるものとすると非常に重くなる。柱状、分厚い板状の木材と、軽い棒状金属の組み合わせがこの問題の解決になる。二つの部品の繋ぎ方は、鋲で繋ぐ場合は取り付けに自由度が大きく取り付け作業に支障が出ることは少ない。ボルトで繋ぐ場合、方向、辺となるものの長さのわずかなずれでボルト穴が合わなくなる。辺となるものに取り付ける部品の柱などに取り付ける部品と繋ぐ部分である一枚の金属版にボルト穴を付けていないものを辺の片方に取り付け、これに現場で方向、寸法を合わせて専用用具で穴を付けて繋ぐ。一本のボルトで繋ぐ場合には、柱状、分厚い板状の木材を、全ての部品を取り付けた一番最後に、実寸に合わせて切りコの字状の金属枠にはめ込んでボルトで固定する。それぞれの特徴を生かした、木材と金属の共働がすべての課題を解決する。【０００５】大きい地震、周期の長い地震波のとき、変形を小さくして、少しでも木造住宅の崩壊を防ぎまた損傷を小さくできる。横波、縦波どちらにも強い木造住宅にすることができ、地震対策での一室強化に役立ち、空隙の確保にも役立つ。
【図面の簡単な説明】
【０００６】
【図１】三角形の辺となるものに取り付ける部品を横から見た図である。
【図２】三角形の辺となるものに取り付ける部品を木枠の中から見た図である。
【図３】柱などに取り付ける部品を横から見た図である（柱を金属製の枠で包み込む場合）
【図４】柱などに取り付ける部品を木枠の中から見た図である。（柱を金属製の枠で包み込む場合）
【図５】長方形の木枠（木組）の中に三角形の辺となるものをこの金属製の取り付け用具を使って取り付けた場合の一例で、概観図で、外力が働くと大きい力（押し戻し力と引き戻し力）が辺に生じ、集中する力を金属板が受け止める構図である。
【符号の説明】
【０００７】１    コの字状の金属枠
２    円筒状のもの
３    押し戻し力を発揮する分厚い板状の木材（辺となるもの）
４    引き戻し力を発揮する長いボルト状の金属棒（辺となるもの）
５    ナット
６    柱などに取り付ける部品に繋ぐ部分で一枚の金属板
７    ボルトで柱などに取り付ける部品の二枚の金属板の穴に合わせて繋ぐ場合のボルト      穴
８    分厚い板状の木材を固定するボルト（他の同型も同）
９    柱などに取り付ける部分で、金属製の枠状のもの
１０  辺となるものに取り付ける部品を繋ぐ部分で二枚の金属板の内の一枚（ボルトで繋      ぐ場合）
１１  辺となるものに取り付ける部品を繋ぐためのボルト穴（他の同型も同）
１２  金属枠を締めて止めるボルト（他の同型も同）
１３  柱
【図１】
0003205956.tif 000003
【図２】
0003205956.tif 000004
【図３】
0003205956.tif 000005
【図４】
0003205956.tif 000006
【図５】
0003205956.tif 000007